(57)【特許請求の範囲】
【請求項１】
防水筐体の内部に電気回路を備えて構成された防水型機器であって、所定の第１の動作が行われることによって、前記防水型機器の電源がＯＦＦ状態からＯＮ状態になる防水型機器の電源停止方法において、
前記防水型機器の電源がＯＮ状態の際に、前記第１の動作と逆の動作を行うことなく、前記第１の動作とは異なる所定の第２の動作を行うことによって、前記防水型機器の電源をＯＦＦ状態になるまでの待機状態にする第１のステップと、
前記待機状態において、前記第１の動作と逆の動作、及び前記第２の動作と逆の動作を行うことによって、前記防水型機器の電源をＯＦＦ状態にする第２のステップと、
を含む防水型機器の電源停止方法。
【請求項２】
前記第１のステップにおいて、前記第２の動作後の状態を所定の時間継続することによって、前記防水型機器の電源をＯＦＦ状態になるまでの待機状態にする、
請求項１に記載の防水型機器の電源停止方法。
【請求項３】
前記防水筐体の外面側には、前記電気回路を設定するための第１の設定具を保持するための保持部が形成され、
前記第１の動作は、前記第１の設定具を前記保持部に配置する動作である、
請求項１又は２に記載の防水型機器の電源停止方法。
【請求項４】
前記第２の動作は、前記第１の設定具とは異なる第２の設定具を前記防水筐体の所定の位置に近接するように配置する動作である、
請求項１から３のいずれか一項に記載の防水型機器の電源停止方法。
【請求項５】
防水筐体の内部に電気回路を備えて構成された防水型機器であって、前記電気回路を設定するための第１の設定具が、前記防水筐体の外面側に形成された保持部に配置されることによって、前記防水型機器の電源がＯＦＦ状態からＯＮ状態になる防水型機器の電源停止方法において、
前記防水型機器の電源がＯＮ状態の際に、前記第１の設定具を前記保持部から取り外すことなく、前記第１の設定具とは異なる第２の設定具を前記防水筐体の所定の位置に近接するように配置した状態を所定の時間継続することによって、前記防水型機器の電源をＯＦＦ状態になるまでの待機状態にする第１のステップと、
前記待機状態において、前記第１の設定具を前記保持部から取り外し、且つ前記第２の設定具を前記防水筐体の所定の位置から離間させることによって、前記防水型機器の電源をＯＦＦ状態にする第２のステップと、
を含む防水型機器の電源停止方法。
【請求項６】
防水筐体の内部に電気回路を備えて構成された防水型機器であって、所定の第１の動作が行われることによって、前記防水型機器の電源がＯＦＦ状態からＯＮ状態になる防水型機器において、
前記防水型機器の電源がＯＮ状態の際に、前記第１の動作と逆の動作が行われることなく、所定の第２の動作が行われた場合に、前記防水型機器の電源をＯＦＦ状態になるまでの待機状態とし、
前記待機状態において、前記第１の動作と逆の動作、及び前記第２の動作と逆の動作が行われた場合に、前記防水型機器の電源をＯＦＦ状態とする制御部を有する、
防水型機器。
【発明の詳細な説明】
【技術分野】
【０００１】
本発明は、防水型機器の電源停止方法、及び防水型機器に関する。
【背景技術】
【０００２】
厨房や浴室のような湿度の高い環境で使用される電気機器に対しては、高い防水性が要求される。例えば、特許文献１（ただし本願出願時において未公開）には、防水構造を有する筐体の内部に電気回路を配置した防水型機器が開示されている。この防水型機器は、電気回路を設定するための設定部材と、この筐体の内部に配置されたものであって、設定部材を検知するための検知部と、検知部による検知結果に応じて電気回路の設定を行う設定部とを備えて構成されている。この防水型機器によれば、作業者が上述の設定部材を防水型機器の所定の位置に配置することによって、検知部にて設定部材が検知されて、設定部によって防水型機器の電源がＯＮ状態になる。そして、この防水型機器の電源がＯＮ状態の際に、設定部材が所定の位置から取り出されることによって、検知部にて設定部材が検知されなくなった場合には、設定部によって防水型機器の電源がＯＦＦ状態になる。
【先行技術文献】
【特許文献】
【０００３】
【特許文献１】特願２０１０−０００８２２号明細書
【発明の概要】
【発明が解決しようとする課題】
【０００４】
しかしながら、このような防水型機器では、電源を停止するための操作に関して改善の余地があった。例えば、防水型機器の電源がＯＮ状態の際に、設定部材が所定の位置に配置されるといった電源がＯＮ状態になる操作に対して、可逆的な操作、すなわち、設定部材が所定の位置から取り出される操作によって、電源がＯＦＦ状態になるので、作業者によって上述の可逆的な操作が誤って行われた場合には、防水型機器がＯＦＦ状態になるおそれがあった。
【０００５】
本発明は、上記に鑑みてなされたものであって、可逆的な操作によって防水型機器の電源をＯＮ状態からＯＦＦ状態に移行することなく、当該防水型機器の電源が容易にＯＮ状態からＯＦＦ状態に移行しないようにすることができる、防水型機器の電源停止方法及び防水型機器を提供することを目的とする。
【課題を解決するための手段】
【０００６】
上述した課題を解決し、目的を達成するために、請求項１に記載の防水型機器の電源停止方法は、防水筐体の内部に電気回路を備えて構成された防水型機器であって、所定の第１の動作が行われることによって、前記防水型機器の電源がＯＦＦ状態からＯＮ状態になる防水型機器の電源停止方法において、前記防水型機器の電源がＯＮ状態の際に、前記第１の動作と逆の動作を行うことなく、前記第１の動作とは異なる所定の第２の動作を行うことによって、前記防水型機器の電源をＯＦＦ状態になるまでの待機状態にする第１のステップと、前記待機状態において、前記第１の動作と逆の動作、及び前記第２の動作と逆の動作を行うことによって、前記防水型機器の電源をＯＦＦ状態にする第２のステップとを含む。
【０００７】
また、請求項２に記載の防水型機器の電源停止方法は、請求項１に記載の防水型機器の電源停止方法において、前記第１のステップにおいて、前記第２の動作後の状態を所定の時間継続することによって、前記防水型機器の電源をＯＦＦ状態になるまでの待機状態にする。
【０００８】
また、請求項３に記載の防水型機器の電源停止方法は、請求項１又は２に記載の防水型機器の電源停止方法において、前記防水筐体の外面側には、前記電気回路を設定するための第１の設定具を保持するための保持部が形成され、前記第１の動作は、前記第１の設定具を前記保持部に配置する動作である。
【０００９】
また、請求項４に記載の防水型機器の電源停止方法は、請求項１から３のいずれか一項に記載の防水型機器の電源停止方法において、前記第１の設定具とは異なる第２の設定具を前記防水筐体の所定の位置に近接するように配置する動作である。
【００１０】
また、請求項５に記載の防水型機器の電源停止方法は、防水筐体の内部に電気回路を備えて構成された防水型機器であって、前記電気回路を設定するための第１の設定具が、前記防水筐体の外面側に形成された保持部に配置されることによって、前記防水型機器の電源がＯＦＦ状態からＯＮ状態になる防水型機器の電源停止方法において、前記防水型機器の電源がＯＮ状態の際に、前記第１の設定具を前記保持部から取り外すことなく、前記第１の設定具とは異なる第２の設定具を前記防水筐体の所定の位置に近接するように配置した状態を所定の時間継続することによって、前記防水型機器の電源をＯＦＦ状態になるまでの待機状態にする第１のステップと、前記待機状態において、前記第１の設定具を前記保持部から取り外し、且つ前記第２の設定具を前記防水筐体の所定の位置から離間させることによって、前記防水型機器の電源をＯＦＦ状態にする第２のステップとを含む。
【００１１】
また、請求項６に記載の防水型機器は、防水筐体の内部に電気回路を備えて構成された防水型機器であって、所定の第１の動作が行われることによって、前記防水型機器の電源がＯＦＦ状態からＯＮ状態になる防水型機器において、前記防水型機器の電源がＯＮ状態の際に、前記第１の動作と逆の動作が行われることなく、所定の第２の動作が行われた場合に、前記防水型機器の電源をＯＦＦ状態になるまでの待機状態とし、前記待機状態において、前記第１の動作と逆の動作、及び前記第２の動作と逆の動作が行われた場合に、前記防水型機器の電源をＯＦＦ状態とする制御部を有する。
【発明の効果】
【００１２】
請求項１に記載の防水型機器の電源停止方法、又は請求項６に記載の防水型機器によれば、防水型機器の電源がＯＮ状態の際に、作業者が所定の第１の動作と逆の動作といった可逆的な操作を行った場合であっても、電源がＯＦＦ状態になることなく、作業者が所定の第２の動作を行うことによって、電源が待機状態になり、そしてこの待機状態において、作業者が第１の動作と逆の動作、及び第２の動作と逆の動作を行うことによって、電源がＯＦＦ状態になるので、電源が容易にＯＮ状態からＯＦＦ状態に移行しないようにすることができ、作業者の誤操作によって、電源がＯＦＦ状態になることを回避することができる。
【００１３】
請求項２に記載の防水型機器の電源停止方法によれば、第１のステップにおいて、作業者が第２の動作後の状態を所定の時間継続することによって、防水型機器の電源が待機状態になるので、作業者が電源をＯＦＦ状態にさせる意図をもって操作した場合に、電源がＯＦＦ状態になるようにすることができ、作業者の誤操作によって、電源がＯＦＦ状態になることを一層回避することができる。
【００１４】
請求項３に記載の防水型機器の電源停止方法によれば、第１の動作は、第１の設定具を保持部に配置する動作であるので、防水性を損なうことなく電気回路の設定を容易に行うことができる。
【００１５】
請求項４に記載の防水型機器の電源停止方法によれば、第２の動作は、第１の設定具とは異なる第２の設定具を防水筐体の所定の位置に近接するように配置する動作であるので、防水性を損なうことなく電気回路の設定を容易に行うことができる。また、第２の動作と第１の動作は異なる操作となるため、作業者の誤操作によって電源がＯＦＦ状態になることを回避することができる。
【００１６】
請求項５に記載の防水型機器の電源停止方法によれば、防水型機器の電源がＯＮ状態の際に、作業者が第１の設定具を保持部に配置した後、当該第１の設定具を保持部から取り外すといった可逆的な操作を行った場合であっても、作業者が第１の設定具を保持部に配置するといった電源をＯＮ状態にするための操作に対して可逆的な操作、すなわち、当該第１の設定具を保持部から取り出す操作を行った場合であっても、電源がＯＦＦ状態になることなく、作業者が第１の設定具及び第２の設定具を所定の順序とタイミングに基づいて配置することによって、電源がＯＮ状態から待機状態になり、そしてこの待機状態において、作業者が第１の設定具及び第２の設定具の配置を所定の順序とタイミングに基づいて解除することによって、電源が待機状態からＯＦＦ状態になるので、電源が容易にＯＮ状態からＯＦＦ状態に移行しないようにすることができ、作業者の誤操作によって、電源がＯＦＦ状態になることを回避することができる。
【図面の簡単な説明】
【００１７】
【図１】実施の形態１に係る防水型機器としての感知器の外観を示す３面図であり、図１（ａ）は感知器の背面図、図１（ｂ）は感知器の側面図、図１（ｃ）は感知器の正面図である。
【図２】図１に示した感知器の詳細を示す図であり、図２（ａ）は感知器の背面図、図２（ｂ）は感知器の側断面図である。
【図３】実施の形態１に係る防水型機器の電気的構成を機能概念的に示したブロック図である。
【図４】実施の形態１に係る設定テーブルの内容を例示した表である。
【図５】実施の形態１に係る電源停止方法のフローチャートである。
【図６】実施の形態１に係る電源停止処理のフローチャートである。
【図７】実施の形態２に係る設定テーブルの内容を例示した表である。
【図８】実施の形態２に係る電源停止方法のフローチャートである。
【図９】実施の形態２に係る電源停止処理のフローチャートである。
【図１０】図９に続く実施の形態２に係る電源停止処理のフローチャートである。
【発明を実施するための形態】
【００１８】
以下に添付図面を参照して、この発明に係る防水型機器の各実施の形態を詳細に説明する。ただし、各実施の形態によって本発明が限定されるものではない。
【００１９】
各実施の形態に係る防水型機器の適用対象は任意であり、防水性が要求され、且つ外部から設定操作可能とする必要のある各種電気機器に適用することができ、例えば防災システムにおいて高湿度の環境に設置される感知器や受信機等に適用することができる。なお、以下の各実施の形態では、無線式定温感知器に適用した場合を例として説明する。
【００２０】
〔実施の形態１〕
まず実施の形態１について説明する。この形態は、第１の設定具及び第２の設定具を用いて電気回路の電源を停止する形態である。
【００２１】
（構成）
図１は実施の形態１に係る防水型機器としての感知器の外観を示す３面図であり、図１（ａ）は感知器の背面図、図１（ｂ）は感知器の側面図、図１（ｃ）は感知器の正面図である。図２は図１に示した感知器の詳細を示す図であり、図２（ａ）は感知器の背面図、図２（ｂ）は感知器の側断面図である。図３は実施の形態１に係る防水型機器の電気的構成を機能概念的に示したブロック図である。図１から図３に示すように、防水型機器１は防水筐体１０を備え、この防水筐体１０の外部に第１の設定具２１又は第２の設定具２２が適宜配置される。
【００２２】
（構成−第１の設定具と第２の設定具）
第１の設定具２１及び第２の設定具２２は、防水型機器１の電気回路を設定するために用いられるものである。これら第１の設定具２１及び第２の設定具２２の具体的構成は任意であり、例えば略棒状に形成された磁石を用いることができる。第１の設定具２１は、防水型機器１の電気回路の電源をＯＮ状態に設定し、又は電源をＯＦＦ状態に設定するためのものであると共に、防水型機器１の電気回路の所定機能の動作状態を設定するためのものである。ここで「電気回路の電源をＯＮ状態」とは、例えば電気回路が動作モードに設定されている状態を意味する。また、「電気回路の電源をＯＦＦ状態」とは、例えば電気回路が休止モードに設定されている状態を意味する。また「所定機能の動作状態」としては、例えば防水型機器１としての感知器が公知の無線通信手段（図示省略）を介して無線通信を行う際に使用する無線ＣＨの設定状態が挙げられる。以下では、無線ＣＨ１の使用又は不使用を設定するための第１の設定具２１ａ（以下、必要に応じて「第１の設定具Ａ」）と、無線ＣＨ２の使用又は不使用を設定するための第１の設定具２１ｂ（以下、必要に応じて「第１の設定具Ｂ」）とを用いる場合を例として説明する。第２の設定具２２は、防水型機器１の電気回路の電源をＯＦＦ状態に設定するためのものであると共に、防水型機器１の試験（例えば通信試験等）を行う際に用いられるものである。この第２の設定具２２は、第１の設定具２１よりも強い磁場を発生させる。なお、実施の形態１では、第１の設定具２１、及び第２の設定具２２が相互に異なる構造であってもよく、あるいは相互に同一となる構造であってもよい。
【００２３】
（構成−防水筐体）
防水筐体１０は、防水構造を有する筐体であり、その内部に電池３０、表示部６０、及び回路基板４０が搭載されている。防水筐体１０の具体的な構造は任意であり、例えば合成樹脂を用いて形成され、図２に示したように、第１ケース１０ａと第２ケース１０ｂとを相互に組み合わせて構成される。これらの第１ケース１０ａと第２ケース１０ｂとの嵌合部に溝部１０ｃが形成され、当該溝部１０ｃに公知のＯリング１０ｄが装着される。このＯリング１０ｄが適度に圧縮され溝部１０ｃの壁面に密着することにより、第１ケース１０ａと第２ケース１０ｂとで囲繞された空間の内外間の気密性が保持される。
【００２４】
また、防水筐体１０の外面側には保持部５０が設けられている。この保持部５０は防水筐体１０の外部で第１の設定具２１を保持するための保持手段であり、第１の設定具２１ａを保持する第１保持部５１、及び第１の設定具２１ｂを保持するための第２保持部５２を備えて構成されている。これらの保持部５０の具体的な構成は任意で、例えば第１ケース１０ａの外面側において、略棒状に形成された第１の設定具２１を差込可能な凹部が形成されている。さらに、これら保持部５０に差し込まれた第１の設定具２１の脱落を防止するために、第１の設定具２１が差し込まれた保持部５０の開口部はネジ５３で封止される。または、ネジ５３の代わりに、ゴムや樹脂製のキャップ（図示省略）により保持部５０が封止されることによって、第１の設定具２１の脱落を防ぐこともできる。また、このキャップと第１の設定具２１とを一体化し、ひも（図示省略）を介して防水筐体１０が掛止されることによって、第１の設定具２１の脱落、紛失を防ぐこともできる。また、第１保持部５１及び第２保持部５２は、相互に同一形状にて形成されることで、例えば、第１保持部５１、又は第２保持部５２の何れかに択一的に第１の設定具２１ａ又は第１の設定具２１ｂが差し込まれることで所望の設定がなされるようにしてもよい。なお、第２の設定具２２は、防水型機器１の試験を行う際に用いられるものであり、防水筐体１０の外部に継続的に保持する必要がないため、実施の形態１では当該第２の設定具２２を保持するための保持部５０が省略されている。もちろん、この第２の設定具２２を保持するための保持部５０が設けられることによって、試験設定の状態を継続できるようにしてもよい。
【００２５】
さらに、防水型機器１の背面全体または一部が覆われるように、背面カバー１１が設けられている。この背面カバー１１を、例えば天井面や壁面等に防水型機器１を取り付けるための取り付け金具としてもよい。なお、第１の設定具２１の着脱や背面カバー１１の着脱に際しては、防水筐体１０は開閉する必要がないため、防水筐体１０の防水性能を容易かつ確実に維持することが可能となる。
【００２６】
（構成−防水筐体−電池）
電池３０は、防水型機器１の各部に電力を供給する。この電池３０としては、公知の乾電池や充電池を用いることができる。
【００２７】
（構成−防水筐体−表示部）
表示部６０は、防水型機器１の各部に電力を供給する。この表示部６０としては、公知のＬＥＤランプ、蛍光ランプ等を用いることができる。
【００２８】
（構成−防水筐体−回路基板）
回路基板４０は、防水型機器１の各種機能を実現するための電気回路（図示省略）が実装された基板であり、検知部４１、制御部４２、及び記憶部４３を備えて構成されている。
【００２９】
検知部４１は、防水筐体１０の外部に配置された第１の設定具２１又は第２の設定具２２を検知する検知手段であり、第１の検知部４１ａ、及び第２の検知部４１ｂを備えている。このうち、第１の検知部４１ａは、第１の検知部４１ａ１（以下、必要に応じて「第１の検知部Ａ」）、及び第１の検知部４１ａ２（以下、必要に応じて「第１の検知部Ｂ」）、を備えている。
【００３０】
検知部４１の具体的な構成は任意であり、上述のように第１の設定具２１及び第２の設定具２２が磁石である場合、例えば第１の設定具２１及び第２の設定具２２の磁気を検知するリードスイッチや、ホール素子等の磁気検知素子を検知部４１として用いることができる。また、第１の検知部４１ａは、回路基板４０上において保持部５０と適当な位置、及び／又は向きの関係を保持するように配置される。例えば、第１の検知部４１ａが当該第１の検知部４１ａの検知面に直交する方向の磁気を検知して動作する場合には、第１の検知部４１ａ１は第１保持部５１と対向する位置に配置され、第１の検知部４１ａ２は第２保持部５２に対向する位置に配置される。これにより、保持部５０に差し込まれた第１の設定具２１は、第１の検知部４１ａの検知面に直交する方向に磁気を発するような向きで配置され、その磁気を第１の検知部４１ａによって検知することができる。なお、第１の検知部４１ａと保持部５０とを接近させることにより、第１の検知部４１ａにて検知される第１の設定具２１の磁気の強さが強くなるので、外乱による誤検知を防止することができる。また、第２の検知部４１ｂについては、防水型機器１の試験を行う際に、作業者によって第２の設定具２２が防水型機器１に近接させる位置の近傍位置、例えば回路基板４０の周縁部に配置される。
【００３１】
制御部４２は、防水型機器１の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。
【００３２】
この制御部４２は、機能概念的に設定部４２ａを備えている。設定部４２ａは、検知部４１による検知結果に応じて電気回路の設定を行う設定手段である。設定部４２ａの具体的な動作は任意で、例えば検知部４１としてリードスイッチが用いられている場合には、当該リードスイッチの開閉に応じて、電源のＯＮ／ＯＦＦを行ったり、無線ＣＨ設定等の電気回路の設定を行う。また、検知部４１としてホール素子が用いられている場合には、当該ホール素子の出力を定期的に読み取り、当該出力に応じて動作モードの切替等の電気回路の設定を行う。この制御部４２によって実行される処理の詳細については後述する。
【００３３】
記憶部４３は、設定部４２ａが電気回路の設定を行う際に参照するための設定テーブル４３ａを備えている。この記憶部４３は、書き換え可能な記録媒体を用いて構成され、例えばフラッシュメモリ等の不揮発性記録媒体や、防水型機器１の制御プログラムを格納するＲＯＭ等の記録媒体を用いることができる。また、設定テーブル４３ａの機能は、防水型機器１の制御プログラムにおけるＩＦ文、ＳＷＩＣＨ文等の条件分岐動作によって実現されてもよい。
【００３４】
図４は、実施の形態１に係る設定テーブル４３ａの内容を例示した表である。図４に示したように、設定テーブル４３ａには、テーブル項目「第１の設定具Ａ」、「第１の設定具Ｂ」、「第２の設定具」、及び「設定内容」に対応する情報が相互に関連付けて格納される。
【００３５】
項目「第１の設定具Ａ」、「第１の設定具Ｂ」、及び「第２の設定具」に対応して格納される情報は、各項目名に対応する第１の設定具２１及び第２の設定具２２の検知内容を特定する情報であり、例えば第１の設定具２１又は第２の設定具２２が検知されたことを示す「有り」、第１の設定具２１又は第２の設定具２２が検知されていないことを示す「無し」が格納される。項目「設定内容」に対応して格納される情報は、検知部４１の検知結果に応じて設定部４２ａが行う電気回路の設定内容を特定する情報である。
【００３６】
例えば、第２の設定具２２が検知されていない場合であって、第１の設定具２１ａが第１保持部５１に差し込まれることにより第１の検知部４１ａ１によって当該第１の設定具２１ａが検知され、第１の設定具２１ｂが第２保持部５２に差し込まれておらず第１の検知部４１ａ２によって当該第１の設定具２１ｂが検知されていない場合は、電気回路の電源をＯＮ状態に設定すると共に、無線ＣＨ１を使用する設定とする。
【００３７】
また、第２の設定具２２が検知されていない場合であって、第１の設定具２１ｂが第２保持部５２に差し込まれることにより第１の検知部４１ａ２によって当該第１の設定具２１ｂが検知され、第１の設定具２１ａが第１保持部５１に差し込まれておらず第１の検知部４１ａ１によって当該第１の設定具２１ａが検知されていない場合は、電気回路の電源をＯＮ状態に設定すると共に、無線ＣＨ２を使用する設定とする。
【００３８】
また、第２の設定具２２が検知されていない場合であって、第１の設定具２１ａが第１保持部５１に差し込まれると共に第１の設定具２１ｂが第２保持部５２に差し込まれることにより、第１の検知部４１ａ１及び第１の検知部４１ａ２によって当該第１の設定具２１ａ及び当該第１の設定具２１ｂが検知されている場合は、電気回路の電源をＯＮ状態に設定すると共に、直前に設定されていた無線ＣＨを使用する設定とする。あるいは、無線ＣＨ１及びＣＨ２とは異なる無線ＣＨ３を使用する設定とするように構成してもよい。
【００３９】
また、作業者が第２の設定具２２を第２の検知部４１ｂに近接するように配置することにより、当該第２の検知部４１ｂによって第２の設定具２２が検知されている場合であって、第１の設定具２１ａが第１保持部５１に差し込まれておらず、第１の設定具２１ｂも第２保持部５２に差し込まれていないことにより、第１の検知部４１ａ１及び第１の検知部４１ａ２によって当該第１の設定具２１ａ及び当該第１の設定具２１ｂが検知されていない場合は、試験処理を実行する。
【００４０】
また、第２の検知部４１ｂによって第２の設定具２２が検知されている場合であって、第１の設定具２１ａが第１保持部５１に差し込まれることにより第１の検知部４１ａ１によって当該第１の設定具２１ａが検知され、第１の設定具２１ｂが第２保持部５２に差し込まれておらず第１の検知部４１ａ２によって当該第１の設定具２１ｂが検知されていない場合は、試験処理を実行する。
【００４１】
また、第２の検知部４１ｂによって第２の設定具２２が検知されている場合であって、第１の設定具２１ｂが第２保持部５２に差し込まれることにより第１の検知部４１ａ２によって当該第１の設定具２１ｂが検知され、第１の設定具２１ａが第１保持部５１に差し込まれておらず第１の検知部４１ａ１によって当該第１の設定具２１ａが検知されていない場合は、試験処理を実行する。
【００４２】
また、第１の検知部４１ａ１及び当該第１の検知部４１ａ２によって第１の設定具２１ａ及び第１の設定具２１ｂが検知されている場合であって、作業者が第２の設定具２２を第２の検知部４１ｂに近接するように配置することにより、第２の検知部４１ｂによって第２の設定具２２が検知されている場合には、電気回路の電源をＯＦＦ状態になるまでの待機状態に設定する。ただし、このような電気回路の電源を待機状態に設定するのは、作業者が後述する図５の電源停止方法の所定手順を踏むことにより、後述する図６の電源停止処理において、検知部４１が第１の設定具２１又は第２の設定具２２を所定の順序とタイミングで検知した場合に限られる（後述する図６の例では、ＳＢ１〜ＳＢ６の処理）。なお、作業者がこの方法の所定手順を踏まなかったことにより、検知部４１が第１の設定具２１又は第２の設定具２２を所定の順序とタイミングで検知しなかった場合には、電気回路の電源をＯＮ状態に設定すると共に、直前に設定されていた無線ＣＨを使用する設定とする。
【００４３】
また、第２の検知部４１ｂによって第２の設定具２２が検知されていない場合であって、第１の設定具２１ａが第１保持部５１に差し込まれておらず、第１の設定具２１ｂも第２保持部５２に差し込まれていないことにより、第１の検知部４１ａ１及び第１の検知部４１ａ２によって第１の設定具２１ａ及び第１の設定具２１ｂが検知されていない場合は、電気回路の電源をＯＦＦ状態に設定する。ただし、このような電気回路の電源をＯＦＦ状態に設定するのは、当該電気回路の電源が待機状態になった後、作業者が後述する図５の電源停止方法の所定手順を踏むことにより、後述する図６の電源停止処理において、検知部４１が第１の設定具２１又は第２の設定具２２を所定の順序とタイミングで検知しなかった場合に限られる（後述する図６の例では、ＳＢ７〜ＳＢ９の処理）。なお、作業者がこの方法の所定手順を踏まなかったことにより、検知部４１が第１の設定具２１又は第２の設定具２２を所定の順序とタイミングで検知した場合には、電気回路の電源をＯＮ状態に設定すると共に、直前に設定されていた無線ＣＨを使用する設定とする。
【００４４】
（電源停止方法）
次に、上述のように構成される防水型機器１の電源停止方法及び電源停止処理について説明する。まず、作業者によって行われる電源停止方法について簡潔に説明する。図５は実施の形態１に係る電源停止方法のフローチャートである（以下の各処理の説明ではステップを「Ｓ」と略記する）。この説明においては、図２に示すように、何も入っていない状態の第２保持部５２に、第１の設定具２１ｂが差し込まれることによって、電気回路の電源がＯＮ状態に設定されると共に、無線ＣＨ２が使用される設定とされ、そしてこのような設定状態が維持されているものとする（以下、後述する実施の形態１に係る電源停止処理、並びに実施の形態２に係る電源停止方法及び電源停止処理も同様とする）。
【００４５】
図５に示すように、最初に、第１の設定具２１ａを第１保持部５１に差し込むことによって、第１の設定具２１を配置する（ＳＡ１）。この第１の設定具２１を保持部５０に差し込む動作は、特許請求の範囲における所定の第１の動作に対応するものである。次に、第１の設定具２１ａを第１保持部５１に差し込んだ状態、及び第１の設定具２１ｂを第２保持部５２に差し込んだ状態を維持しながら、第１の所定の時間（例えば、２〜４ｓｅｃ）待機する（ＳＡ２）。この第１の所定の時間経過後、第２の設定具２２を第２の検知部４１ｂに近接するように配置することによって、第２の設定具２２を配置する（ＳＡ３）。次に、第１の設定具２１ａを第１保持部５１に差し込んだ状態、第１の設定具２１ｂを第２保持部５２に差し込んだ状態、及び第２の設定具２２を第２の検知部４１ｂに近接するように配置した状態を、第２の所定時間（例えば、２０ｓｅｃ）継続する（ＳＡ４）。この第２の設定具２２を第２の検知部４１ｂに近接するように配置する動作は、特許請求の範囲における所定の第２の動作に対応するものである。続いて、第２の所定の時間経過後、第２の所定時間経過してから第３の所定時間（例えば、６０ｓｅｃ）以内に、第１の設定具２１ａを第１保持部５１から抜き出し、第１の設定具２１ｂを第２保持部５２から抜き出し、第２の設定具２２を第２の検知部４１ｂから離間させることによって、第１の設定具２１及び第２の設定具２２の配置を解除する（ＳＡ５）。この第３の所定時間は、特許請求の範囲における所定の時間に対応するものである。
【００４６】
（電源停止処理）
次に、防水型機器１によって実行される電源停止処理を、図５に示すＳＡ１〜ＳＡ５の電源停止方法と関連づけて説明する。図６は実施の形態１に係る電源停止処理のフローチャートである。この処理は、例えば第１の設定具２１が保持部に差し込まれている場合を除いて、防水筐体１０に電池３０が設置されている間、所定周期で起動される（以下、実施の形態２に係る電源停止処理も同様とする）。
【００４７】
図６に示すように、最初に、制御部４２は第１の検知部４１ａが第１の設定具２１を検知したか否かを判定する（ＳＢ１）。具体的な判定方法は任意で、例えば、第１の検知部４１ａ１にて一定の強度以上の磁気が検知された場合に、制御部４２は第１の設定具２１ａを検知したと判定する（以下、後述するＳＢ４、ＳＢ８、ＳＢ１０、ＳＢ１１、ＳＤ１、ＳＤ４、ＳＤ９、ＳＤ１１、ＳＤ１３−１５も同様とする）。
【００４８】
その結果、ＳＡ１にて第１の設定具２１が配置されることによって、第１の検知部４１ａ１が第１の設定具２１ａを検知し、第１の検知部４１ａ２が第１の設定具２１ｂを検知したと判定された場合には（ＳＢ１、Ｙｅｓ）、設定部４２ａは、設定テーブル４３ａを参照し、第１の設定具２１及び第２の設定具２２の検知結果に応じて、電気回路の電源をＯＮ状態に維持すると共に、直前に設定されていた無線ＣＨ（ここでは、無線ＣＨ２）を使用する設定とする（ＳＢ２）。
【００４９】
次に、ＳＡ２にて作業者が待機している間、制御部４２は、第１の所定時間（例えば、２〜４ｓｅｃ）経過するまで待機する（ＳＢ３）。ここで、第１の所定時間が経過する前に（ＳＢ３、Ｎｏ）、第１の検知部４１ａ１にて第１の設定具２１ａが検知されなくなり、第１の検知部４１ａ２にて第１の設定具２１ｂが検知されなくなり、又は第２の検知部４１ｂにて第２の設定具２２が検知された場合には（ＳＢ１０、Ｙｅｓ）、制御部４２は、電気回路の電源をＯＮ状態からＯＦＦ状態にすることなく、ＯＮ状態に維持しながら、この処理を終了する。これにより、例えば電気回路の電源がＯＮ状態の際に、第１の設定具２１ｂが第２保持部５２に差し込まれるといった電源がＯＮ状態になるための操作に対して可逆的な操作、すなわち、第１の設定具２１ｂが第２保持部５２から抜き出される操作が行われることによって、電気回路の電源がＯＮ状態からＯＦＦ状態になることを防止できる。
【００５０】
一方、第１の検知部４１ａ１にて第１の設定具２１ａが検知された状態、第１の検知部４１ａ２にて第１の設定具２１ｂが検知された状態、及び第２の検知部４１ｂにて第２の設定具２２が検知されていない状態で（ＳＢ１０、Ｎｏ）、第１の所定時間が経過した後には（ＳＢ３、Ｙｅｓ）、制御部４２は第２の検知部４１ｂが第２の設定具２２を検知したか否かを判定する（ＳＢ４）。
【００５１】
その結果、ＳＡ３にて第２の設定具２２が配置されることによって、第２の検知部４１ｂが第２の設定具２２を検知したと判定された場合には（ＳＢ４、Ｙｅｓ）、制御部４２は、第２の所定時間（例えば、２０ｓｅｃ）経過するまで待機する（ＳＢ５）。ここで、第２の所定時間が経過する前に（ＳＢ５、Ｎｏ）、第１の検知部４１ａ１にて第１の設定具２１ａが検知されなくなり、第１の検知部４１ａ２にて第１の設定具２１ｂが検知されなくなり、又は第２の検知部４１ｂにて第２の設定具２２が検知されなくなった場合には（ＳＢ１１、Ｎｏ）、制御部４２は、電気回路の電源をＯＮ状態からＯＦＦ状態にすることなく、ＯＮ状態に維持しながら、この処理を終了する。
【００５２】
一方、ＳＡ４にて第１の設定具２１及び第２の設定具２２が配置された後の状態が継続されることによって、第１の検知部４１ａ１にて第１の設定具２１ａが検知された状態、第１の検知部４１ａ２にて第１の設定具２１ｂが検知された状態、及び第２の検知部４１ｂにて第２の設定具２２が検知された状態で（ＳＢ１１、Ｙｅｓ）、第２の所定時間が経過した後には（ＳＢ５、Ｙｅｓ）、設定部４２ａは、設定テーブル４３ａを参照し、第１の設定具２１及び第２の設定具２２の検知結果に応じて、電気回路の電源をＯＦＦ状態になるまでの待機状態に設定する。（ＳＢ６）。これにより、第２の設定具２２が配置された後第２の所定時間が経過しなければ、電気回路の電源が待機状態にならないので、この電気回路の電源が容易にＯＦＦ状態にならないようにすることができる。また、制御部４２は、後述する第３の所定時間が経過するまで、表示部６０によって点滅（又は点灯）させる（ＳＢ６）。これにより、作業者に対して電気回路の電源が待機状態であることを報知することができる。なお、第２の設定具２２が配置された後の状態が第２の所定時間継続されることによって、電気回路の電源がＯＮ状態から待機状態になるステップは、特許請求の範囲における第１のステップに対応するものである。
【００５３】
次に、ＳＢ６の処理から第３の所定時間（例えば、６０ｓｅｃ）経過する前に（ＳＢ７、Ｎｏ）、制御部４２は第１の検知部４１ａ１が第１の設定具２１ａを検知したか否か、第１の検知部４１ａ２が第１の設定具２１ｂを検知したか否か、及び第２の検知部４１ｂが第２の設定具２２を検知したか否かを判定する（ＳＢ８）。
【００５４】
その結果、第１の検知部４１ａ１が第１の設定具２１ａを検知したと判定され、第１の検知部４１ａ２が第１の設定具２１ｂを検知したと判定され、又は第２の検知部４１ｂが第２の設定具２２を検知したと判定され続けて（ＳＢ８、Ｙｅｓ）、第３の所定時間が経過した場合には（ＳＢ７、Ｙｅｓ）、制御部４２は、電気回路の電源を待機状態からＯＦＦ状態にすることなく、待機状態からＯＮ状態にして、この処理を終了する。なお、第１の検知部４１ａ１が第１の設定具２１ａを検知したと判定され、第１の検知部４１ａ２が第１の設定具２１ｂを検知したと判定され、及び第２の検知部４１ｂが第２の設定具２２を検知したと判定され続けて、第３の所定時間が経過した場合には、制御部４２は処理を終了せずに、ＳＢ４の直前に戻るようにしてもよい。この場合に、作業者が第２の設定具２２を第２の検知部４１ｂから一度離間させてから、再度第２の設定具２２を第２の検知部４１ｂに近接するように配置することによって、ＳＢ４の処理が行われる。これにより、電源停止方法において、最初からやり直す場合の作業量に比べて、作業量を低減することができる。
【００５５】
一方、第３の所定時間経過する前に（ＳＢ７、Ｎｏ）、ＳＡ５にて第１の設定具２１及び第２の設定具２２の配置が解除されることによって、第１の検知部４１ａ１が第１の設定具２１ａを検知しないと判定され、第１の検知部４１ａ２が第１の設定具２１ｂを検知しないと判定され、及び第２の検知部４１ｂが第２の設定具２２を検知しないと判定された場合には（ＳＢ８、Ｎｏ）、設定部４２ａは、設定テーブル４３ａを参照し、第１の設定具２１及び第２の設定具２２の検知結果に応じて、電気回路の電源を待機状態からＯＦＦ状態に設定し（ＳＢ９）、この処理を終了する。これにより、第１の設定具２１及び第２の設定具２２の配置が第３の所定時間以内に解除されなければ、電気回路の電源がＯＦＦ状態にならないので、この電気回路の電源が容易にＯＦＦ状態にならないようにすることができる。なお、第１の設定具２１及び第２の設定具２２の配置が解除されることによって、電気回路の電源が待機状態からＯＦＦ状態になるステップは、特許請求の範囲における第２のステップに対応するものである
【００５６】
（効果）
このように実施の形態１によれば、防水型機器１の電気回路の電源がＯＮ状態の際に、作業者が所定の第１の動作と逆の動作といった可逆的な操作を行った場合であっても、この電気回路の電源がＯＦＦ状態になることなく、作業者が所定の第２の動作を行うことによって、この電気回路の電源が待機状態になり、そしてこの待機状態において、作業者が第１の動作と逆の動作、及び第２の動作と逆の動作を行うことによって、この電気回路の電源がＯＦＦ状態になるので、この電気回路の電源が容易にＯＮ状態からＯＦＦ状態に移行しないようにすることができ、作業者の誤操作によって、この電気回路の電源がＯＦＦ状態になることを回避することができる。
【００５７】
また、第１のステップにおいて、作業者が第２の動作後の状態を所定の時間継続することによって、防水型機器１の電気回路の電源が待機状態になるので、作業者がこの電気回路の電源をＯＦＦ状態にさせる意図をもって操作した場合に、この電気回路の電源がＯＦＦ状態になるようにすることができ、作業者の誤操作によって、この電気回路の電源がＯＦＦ状態になることを一層回避することができる。
【００５８】
また、第１の動作は、第１の設定具２１ａを第１保持部５１に配置すると共に、第１の設定具２１ｂを第２保持部５２に配置する動作であるので、防水性を損なうことなく電気回路の設定を容易に行うことができる。
【００５９】
また、第２の動作は、第１の設定具２１とは異なる第２の設定具２２を第２の検知部４１ｂに近接するように配置する動作であるので、防水性を損なうことなく電気回路の設定を容易に行うことができる。また、第２の動作と第１の動作は異なる操作となるため、作業者の誤操作によって電源がＯＦＦ状態になることを回避することができる。
【００６０】
このように実施の形態１によれば、防水型機器１の電気回路の電源がＯＮ状態の際に、作業者が第１の設定具２１ｂを第２保持部５２に差し込むといった電源をＯＮ状態にするための操作に対して可逆的な操作、すなわち、第１の設定具２１ｂを第２保持部５２から抜き出す操作を行った場合であっても、この電気回路の電源がＯＦＦ状態になることなく、作業者が第１の設定具２１及び第２の設定具２２を所定の順序とタイミングに基づいて配置することによって、この電気回路の電源がＯＮ状態から待機状態になり、そしてこの待機状態において、作業者が第１の設定具２１及び第２の設定具２２の配置を所定の順序とタイミングに基づいて解除することによって、この電気回路の電源が待機状態からＯＦＦ状態になるので、この電気回路の電源が容易にＯＮ状態からＯＦＦ状態に移行しないようにすることができ、作業者の誤操作によって、この電気回路の電源がＯＦＦ状態になることを回避することができる。
【００６１】
〔実施の形態２〕
次に、実施の形態２について説明する。この形態は、実施の形態１の第１の設定具２１のみを用いて電気回路の電源を停止する形態である。なお、実施の形態２の構成は特記する場合を除いて実施の形態１の構成と略同一であり、実施の形態１の構成と略同一の構成についてはこの実施の形態１で用いたものと同一の符号及び／又は名称を必要に応じて付して、その説明を省略する。
【００６２】
図７は、実施の形態２に係る設定テーブル４３ａの内容を例示した表である。図７に示したように、項目「第１の設定具Ａ」、「第１の設定具Ｂ」、及び「第２の設定具」に対応して格納される情報は、例えば第１の設定具２１又は第２の設定具２２が検知されたことを示す「有り」、第１の設定具２１又は第２の設定具２２が検知されていないことを示す「無し」、又は第１の設定具２１又は第２の設定具２２の検知結果が設定内容に影響を与えない「−−−」が格納される。
【００６３】
例えば、作業者が第２の設定具２２を第２の検知部４１ｂに近接するように配置することにより、当該第２の検知部４１ｂによって第２の設定具２２が検知されている場合は、他の第１の設定具２１ａ、及び第２の設定具２２ｂについての第１の検知部４１ａ１、及び第１の検知部４１ａ２による検知結果に関わらず、試験処理を実行する。
【００６４】
また、第２の検知部４１ｂによって第２の設定具２２が検知されていない場合であって、第１の設定具２１ａが第１保持部５１に差し込まれると共に第１の設定具２１ｂが第２保持部５２に差し込まれることにより、第１の検知部４１ａ１及び第１の検知部４１ａ２によって第１の設定具２１ａ及び第１の設定具２１ｂが検知されている場合は、電気回路の電源をＯＦＦ状態になるまでの待機状態に設定する。ただし、このような電気回路の電源を待機状態に設定するのは、作業者が後述する図８の電源停止方法の所定手順を踏むことにより、後述する図９の電源停止処理において、検知部４１が第１の設定具２１を所定の順序とタイミングで検知した場合に限られる（後述する図９の例では、ＳＤ１〜ＳＤ７の処理）。なお、作業者がこの方法の所定手順を踏まなかったことにより、検知部４１が第１の設定具２１を所定の順序とタイミングで検知しなかった場合には、電気回路の電源をＯＮ状態に設定すると共に、直前に設定されていた無線ＣＨを使用する設定とする。
【００６５】
また、第２の検知部４１ｂによって第２の設定具２２が検知されていない場合であって、第１の設定具２１ａが第１保持部５１に差し込まれておらず、第１の設定具２１ｂが第２保持部５２に差し込まれていないことにより、第１の検知部４１ａ１及び第１の検知部４１ａ２によって第１の設定具２１ａ及び第１の設定具２１ｂが検知されていない場合は、電気回路の電源をＯＦＦ状態に設定する。ただし、このような電気回路の電源をＯＦＦ状態に設定するのは、当該電気回路の電源が待機状態になった後、作業者が後述する図８の電源停止方法の所定手順を踏むことにより、後述する図９の電源停止処理において、検知部４１が第１の設定具２１を所定の順序とタイミングで検知しなかった場合に限られる（後述する図９の例では、ＳＤ８〜ＳＤ１２の処理）。なお、作業者がこの方法の所定手順を踏まなかったことにより、検知部４１が第１の設定具２１を所定の順序とタイミングで検知した場合には、電気回路の電源をＯＮ状態に設定すると共に、直前に設定されていた無線ＣＨを使用する設定とする。
【００６６】
（電源停止方法）
次に、上述のように構成される防水型機器１の電源停止方法及び電源停止処理について説明する。まず、作業者によって行われる電源停止方法について簡潔に説明する。図８は実施の形態２に係る電源停止方法のフローチャートである。
【００６７】
図８に示すように、最初に、第２保持部５２から第１の設定具２１ｂを抜き出した後、第１の設定具２１ａを第１保持部５１に差し込むことによって、第１の設定具２１ａを配置する（ＳＣ１）。次に、第１の設定具２１を第１保持部５１に差し込んだ状態を維持しながら、第１の所定の時間（例えば、２〜４ｓｅｃ）待機する（ＳＣ２）。この第１の所定の時間経過後、第２保持部５２から抜き出した第１の設定具２１ｂを当該第２保持部５２に再び差し込むことによって、第１の設定具２１ｂを配置する（ＳＣ３）。次いで、第１の設定具２１ａを第１保持部５１に差し込んだ状態、及び第１の設定具２１ｂを第２保持部５２に差し込んだ状態を第２の所定時間（例えば、２０ｓｅｃ）継続する（ＳＣ４）。続いて、この第２の所定時間経過してから第３の所定時間（例えば、６０ｓｅｃ）以内に、第１の設定具２１ｂを第２保持部５２から抜き出すことによって、第１の設定具２１ｂの配置を解除する（ＳＣ５）。その後、第１の設定具２１を第１保持部５１に差し込んだ状態を維持しながら、第４の所定時間（例えば、２〜４ｓｅｃ）経過するまで待機する（ＳＣ６）。そして、この第４の所定時間経過後であって、第２の所定時間経過してから第３の所定時間以内に、第１の設定具２１ａを第１保持部５１から抜き出すことによって、第１の設定具２１ａの配置を解除する（ＳＣ７）。
【００６８】
（電源停止処理）
次に、防水型機器１によって実行される電源停止処理を、図８に示すＳＣ１〜ＳＣ７の電源停止方法と関連づけて説明する。図９は実施の形態２に係る電源停止処理のフローチャートである。また、図１０は図９に続く実施の形態２に係る電源停止処理のフローチャートである。
【００６９】
図９及び図１０に示すように、最初に、制御部４２は、第１の検知部４１ａ１が第１の設定具２１ａを検知したか否かを判定する（ＳＤ１）。その結果、ＳＣ１にて第１の設定具２１ａが配置されることによって、第１の検知部４１ａ１が第１の設定具２１ａを検知したと判定された場合には（ＳＤ１、Ｙｅｓ）、設定部４２ａは、設定テーブル４３ａを参照し、第１の設定具２１及び第２の設定具２２の検知結果に応じて、電気回路の電源をＯＮ状態の設定を維持すると共に、無線ＣＨ１を使用する設定とする（ＳＤ２）。
【００７０】
次に、ＳＣ２にて作業者が待機している間、制御部４２は、第１の所定時間（例えば、２〜４ｓｅｃ）経過するまで待機する（ＳＤ３）。ここで、第１の所定時間が経過する前に（ＳＤ３、Ｎｏ）、第１の検知部４１ａ１にて第１の設定具２１ａが検知されなくなり、第１の検知部４１ａ２にて第１の設定具２１ｂが検知され、又は第２の検知部４１ｂにて第２の設定具２２が検知された場合には（ＳＤ１３、Ｙｅｓ）、制御部４２は、電気回路の電源をＯＮ状態からＯＦＦ状態にすることなく、ＯＮ状態に維持しながら、この処理を終了する。
【００７１】
一方、第１の検知部４１ａ１にて第１の設定具２１ａが検知された状態、第１の検知部４１ａ２にて第１の設定具２１ｂが検知されていない状態、及び第２の検知部４１ｂにて第２の設定具２２が検知されていない状態で（ＳＤ１３、Ｎｏ）、第１の所定時間が経過した後には（ＳＤ３、Ｙｅｓ）、制御部４２は、第１の検知部４１ａ２が第１の設定具２１ｂを検知したか否かを判定する（ＳＤ４）。
【００７２】
その結果、ＳＣ３にて第１の設定具２１ｂが配置されることによって、第１の検知部４１ａ２が第１の設定具２１ｂを検知したと判定された場合には（ＳＤ４、Ｙｅｓ）、設定部４２ａは、設定テーブル４３ａを参照し、第１の設定具２１及び第２の設定具２２の検知結果に応じて、電気回路の電源をＯＮ状態に維持すると共に、直前に設定されていた無線ＣＨ（ここでは、無線ＣＨ１）を使用する設定とする（ＳＤ５）。
【００７３】
次いで、制御部４２は、第２の所定時間（例えば、２０ｓｅｃ）経過するまで待機する（ＳＤ６）。ここで、第２の所定時間が経過する前に（ＳＤ６、Ｎｏ）、第１の検知部４１ａ１にて第１の設定具２１ａが検知されなくなり、第１の検知部４１ａ２にて第１の設定具２１ｂが検知されなくなり、又は第２の検知部４１ｂにて第２の設定具２２が検知される場合には（ＳＤ１４、Ｙｅｓ）、制御部４２は、電気回路の電源をＯＮ状態からＯＦＦ状態にすることなく、ＯＮ状態に維持しながら、この処理を終了する。
【００７４】
一方、ＳＣ４にて第１の設定具２１及び第２の設定具２２が配置された後の状態が継続されることによって、第１の検知部４１ａ１にて第１の設定具２１ａが検知された状態、第１の検知部４１ａ２にて第１の設定具２１ｂが検知された状態、及び第２の検知部４１ｂにて第２の設定具２２が検知されない状態で（ＳＤ１４、Ｎｏ）、第２の所定時間が経過した後には（ＳＤ６、Ｙｅｓ）、設定部４２ａは、設定テーブル４３ａを参照し、第１の設定具２１及び第２の設定具２２の検知結果に応じて、電気回路の電源をＯＮ状態からＯＦＦ状態になるまでの待機状態に設定する（ＳＤ７）。また、制御部４２は、後述する第３の所定時間が経過するまで、表示部６０によって点滅（あるいは点灯）させる（ＳＤ７）。
【００７５】
次に、ＳＤ７の処理から第３の所定時間（例えば、６０ｓｅｃ）経過する前に（ＳＤ８、Ｎｏ）、制御部４２は、第１の検知部４１ａ２が第１の設定具２１ｂを検知したか否かを判定する（ＳＤ９）。
【００７６】
その結果、第１の検知部４１ａ２が第１の設定具２１ｂを検知したと判定され続けて（ＳＤ９、Ｙｅｓ）、第３の所定時間が経過した場合には（ＳＤ８、Ｙｅｓ）、制御部４２は、電気回路の電源を待機状態からＯＦＦ状態にすることなく、待機状態からＯＮ状態にして、この処理を終了する。
【００７７】
一方、第３の所定時間経過する前に（ＳＤ８、Ｎｏ）、ＳＣ５にて第１の設定具２１ｂの配置が解除されることによって、第１の検知部４１ａ２が第１の設定具２１ｂを検知しないと判定された場合（ＳＤ９、Ｎｏ）、制御部４２は、電気回路の電源を待機状態に維持する。その後、ＳＣ６にて作業者が待機している間、制御部４２は、第４の所定時間（例えば、２〜４ｓｅｃ）経過するまで待機する（ＳＤ１０）。ここで、第４の所定時間が経過する前に（ＳＤ１０、Ｎｏ）、第１の検知部４１ａ１にて第１の設定具２１ａが検知されなくなり、第１の検知部４１ａ２にて第１の設定具２１ｂが検知され、又は第２の検知部４１ｂにて第２の設定具２２が検知された場合には（ＳＤ１５、Ｙｅｓ）、制御部４２は、電気回路の電源を待機状態からＯＦＦ状態にすることなく、待機状態をＯＮ状態にして、この処理を終了する。
【００７８】
一方、第１の検知部４１ａ１にて第１の設定具２１ａが検知される状態、第１の検知部４１ａ２にて第１の設定具２１ｂが検知されない状態、及び第２の検知部４１ｂにて第２の設定具２２が検知されない状態で（ＳＤ１５、Ｎｏ）、第４の所定時間が経過した後には（ＳＤ１０、Ｙｅｓ）、制御部４２は第１の検知部４１ａ１が第１の設定具２１ａを検知したか否かを判定する（ＳＤ１１）。
【００７９】
その結果、第１の検知部４１ａ１が第１の設定具２１ａを検知したと判定された場合には（ＳＤ１１、Ｙｅｓ）、制御部４２は、ＳＤ８の直前に戻る。一方、ＳＣ７にて第１の設定具２１ａの配置が解除されることによって、第１の検知部４１ａ１が第１の設定具２１ａを検知しないと判定された場合には（ＳＤ１１、Ｎｏ）、設定部４２ａは、設定テーブル４３ａを参照し、第１の設定具２１及び第２の設定具２２の検知結果に応じて、電気回路の電源を待機状態からＯＦＦ状態に設定し（ＳＤ１２）、この処理を終了する。
【００８０】
（効果）
このように実施の形態２によれば、防水型機器１の電気回路の電源がＯＮ状態の際に、作業者が第１の設定具２１ａ及び第１の設定具２１ｂを所定の順序とタイミングに基づいて配置することによって、この電気回路の電源が待機状態になり、そしてこの待機状態において、作業者が第１の設定具２１ａ及び第１の設定具２１ｂの配置を所定の順序とタイミングに基づいて解除することによって、この電気回路の電源がＯＦＦ状態になるので、実施の形態１に示す所定の第２の動作を省略した場合でも、この電気回路の電源を容易にＯＮ状態からＯＦＦ状態に移行しないようにすることができ、作業者の誤操作によって、この電気回路の電源がＯＦＦ状態になることを回避することができる。
【００８１】
〔各実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００８２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００８３】
（分散や統合について）
また、上述した各電気的構成要素は機能概念的なものであり、必ずしも物理的に図示の如く構成されていることを要しない。すなわち、各部の分散又は統合の具体的形態は図示のものに限られず、その全部又は一部を、各種の負荷や使用状況などに応じて、任意の単位で機能的又は物理的に分散又は統合して構成できる。
【００８４】
（第１設定具及び第１の検知部について）
上述の各実施の形態では、第１の設定具２１として磁石を使用し、ホール素子等の磁気検知素子を第１の検知部４１ａとして使用した場合を例として説明したが、他の手段を用いてもよい。例えば、第１の設定具２１として非透光性の材料を使用してもよい。この場合、防水筐体１０に透光性の保持部５０を形成し、防水筐体１０の内部において当該保持部５０を狭むように投光手段と受光手段とを第１の検知部４１ａとして配置する。保持部５０が第１の設定具２１を保持している場合、投光手段から投光された光を受光手段が受光できなくなることにより、第１の検知部４１ａは第１の設定具２１を検知することができる。
【００８５】
あるいは、第１の設定具２１として金属等の導体を使用し、第１の検知部４１ａとして静電容量センサを使用してもよい。この場合、防水筐体１０の内部において保持部５０に近接して静電容量センサを配置する。保持部５０に第１の設定具２１を差し込んだ場合に静電容量センサによって検出される静電容量の変化に基づいて、第１の検知部４１ａは第１の設定具２１を検知することができる。
【００８６】
（第１の動作及び第２の動作について）
上述の実施の形態では、第１の動作は、第１の設定具２１ａを第１保持部５１に配置すると共に、第１の設定具２１ｂを第２保持部５２に配置する動作であり、第２の動作は、第１の設定具２１とは異なる第２の設定具２２を第２の検知部４１ｂに近接するように配置する動作であると説明したが、これに限られない。例えば、第１の動作は、防水型機器１を鉛直方向に所定の回数振動させる動作とし、第２の動作は、防水型機器１を水平方向に所定の回数振動させる動作としてもよい。この場合には、第１の設定具２１及び第２の設定具２２を検知するための公知の振動センサ部を、防水筐体１０の内部に配置する。
【００８７】
（電源停止方法について）
上述の実施の形態１では、ＳＡ１において、単に第１の設定具２１ａ及び第１の設定具２１ｂを保持部５０に差し込むことによって、第１の設定具２１を配置すると説明したが、これに限られず、第１の設定具２１を配置する順序とタイミングを変更してもよい。例えば、第１の設定具２１ａを第１保持部５１に差し込んでから所定の時間経過した後に、第１の設定具２１ｂを第２保持部５２に差し込むことによって、第１の設定具２１を配置してもよい。これと同様に、ＳＡ５において、第３の所定時間以内に、単に第１の設定具２１ａを第１保持部５１から抜き出し、第１の設定具２１ｂを第２保持部５２から抜き出し、第２の設定具２２を第２の検知部４１ｂから離間させることによって、第１の設定具２１ａ、第１の設定具２１ｂ、及び第２の設定具２２の配置を解除すると説明したが、例えば、第２の設定具２２を第２の検知部４１ｂから離間させてから、所定の時間経過した後に、第１の設定具２１ａを第１保持部５１から抜き出し、第１の設定具２１ｂを第２保持部５２から抜き出すことによって、第１の設定具２１ａ、第１の設定具２１ｂ、及び第２の設定具２２の配置を解除してもよい。
【００８８】
また、上述の実施の形態２では、ＳＣ１、ＳＣ３において、第１の設定具２１ａを配置してから第１の設定Ｂを配置すると説明したが、これに限られず、第１の設定具２１ａ及び第１の設定具２１ｂを配置する順序とタイミングを変更してもよい。例えば、第１の設定具２１ｂを配置してから第１の設定Ａを配置してもよい。これと同様に、ＳＣ５、ＳＣ７において、第１の設定具２１ｂの配置を解除してから第１の設定Ａの配置を解除すると説明したが、例えば、第１の設定具２１ａの配置を解除してから第１の設定Ｂの配置を解除してもよい。
【００８９】
（電源停止処理について）
上述の実施の形態１では、ＳＢ７、ＳＢ８において、第１の検知部４１ａ１が第１の設定具２１ａを検知したと判定され、第１の検知部４１ａ２が第１の設定具２１ｂを検知したと判定され、又は第２の検知部４１ｂが第２の設定具２２を検知したと判定され続けて、第３の所定時間が経過した場合には、待機状態からＯＮ状態になるように、制御部４２によって電気回路が制御されると説明したが、これに限られない。例えば、第１の設定具２１ａ、第１の設定具２１ｂ、及び第２の設定具２２の配置が解除されることなく、電気配線や照明等により外乱磁場が生じることで、第１の検知部４１ａ１にて第１の設定具２１ａが検知されなくなり、第１の検知部４１ａ２にて第１の設定具２１ｂが検知されなくなり、及び第２の検知部４１ｂにて第２の設定具２２が検知されなくなった場合には、電気回路の電源が待機状態からＯＦＦ状態になることなく、待機状態からＯＮ状態になるように、制御部４２によって当該電気回路が制御されてもよい。この場合には、第１の設定具２１及び第２の設定具２２の有無を磁気以外の方法（例えば、光等）で検知するための公知のセンサ部を、防水筐体１０の内部において第１の検知部４１ａ又は第２の検知部４１ｂの近傍に各々配置する。
【符号の説明】
【００９０】
１  防水型機器
１０  防水筐体
１０ａ  第１ケース
１０ｂ  第２ケース
１０ｃ  溝部
１０ｄ  Ｏリング
１１  背面カバー
２１  第１の設定具
２１ａ  第１の設定具Ａ
２１ｂ  第１の設定具Ｂ
２２  第２の設定具
３０  電池
４０  回路基板
４１  検知部
４１ａ  第１の検知部
４１ａ１  第１の検知部Ａ
４１ａ２  第１の検知部Ｂ
４１ｂ  第２の検知部
４２  制御部
４２ａ  設定部
４３  記憶部
４３ａ  設定テーブル
５０  保持部
５１  第１保持部
５２  第２保持部
５３  ネジ
６０  表示部
【図１】
0005474703.tif 000002
【図２】
0005474703.tif 000003
【図３】
0005474703.tif 000004
【図４】
0005474703.tif 000005
【図５】
0005474703.tif 000006
【図６】
0005474703.tif 000007
【図７】
0005474703.tif 000008
【図８】
0005474703.tif 000009
【図９】
0005474703.tif 000010
【図１０】
0005474703.tif 000011